(57)【要約】      （修正有）【課題】シンクを広く使うために、シンク内に取り付けず、シンクの脇に置き、しかも使用後のスポンジから出る水分をシンクに排水する食器洗い用スポンジ入れを提供する。【解決手段】石鹸箱の受けの側壁面と底面の接する部分に排水用の穴を開け、その穴に排水のためのホースをつなぎ、ホースの先端はシンクに至らせる。水抜き孔を持った石鹸箱の蓋を裏返して石鹸箱の受けの上に組み合わせ、その上にスポンジを置く。置いた使用後のスポンジから出る水分を一カ所に集めるため、受けの底面に傾斜が生じるように、受けの底面の下面に高低２つの高さの足を付けることを特徴とする。【選択図】図１
0003143240.tif 000002
【実用新案登録請求の範囲】
【請求項１】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるため、受けの底面に傾斜が生じるように、受けの下面に前記排水用の穴付近には低い足を、前記排水用の穴と反対側には高い足を付けた、
食器洗い用スポンジ入れ。
【請求項２】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるために、受けの底面全体の厚みの差による傾斜を作るため、受けの底面上に存在する前記排水用の穴付近が最も厚さがうすく、そこから徐々に、前記排水用の穴のある辺に向かい合う、受けの底面の辺付近が最も厚さが厚くなるように受けの底面を隆起させ、
受けの底面の下面に同じ高さの足を複数本付けた、
食器洗い用スポンジ入れ。
【請求項３】
石鹸箱の受けの底面の下面に、足の役割を兼ねさせるために、受けの底面の外周を一定の厚さを保って一定の長さを伸ばした部分を持つ、請求項２の食器洗い用スポンジ入れ。
【請求項４】
石鹸箱の受けの側壁面と底面の接する部分に排水用の穴を開け、その穴に排水のための管をつながず、前記排水用の穴自体をシンクの端に置き、シンクへの排水を可能とした、請求項１または請求項２または請求項３の、食器洗い用スポンジ入れ。
【考案の詳細な説明】
【技術分野】
【０００１】  この考案は、石鹸箱のような容器（以下、石鹸箱と略する）の受けの側壁面の下部に排水用の管を持ち、水抜き孔を持つ蓋を裏返したその上にスポンジを置き、シンクの脇に置いてシンクへの排水を可能とする、食器洗い用スポンジ入れに関するものである。
【背景技術】
【０００２】  従来、食器洗い用スポンジ入れは、プラスチック・ポリプロピレンなどの合成樹脂やステンレスなどで作られた容器を、シンク内の側壁に吸盤で取り付けていた。使用後のスポンジから水分が出ても、容器の底の水切り孔からシンクに落ち、スポンジの水気は切れた。【０００３】  なお、この考案に関連する公知技術として、次の文献を挙げることができる。
【特許文献１】  特許公開２００３−２６５３９３号公報
【考案の開示】
【考案が解決しようとする課題】
【０００４】  まず、吸盤の接着面がかかった水分により雑菌を繁殖させたり、シンクの深さが浅い場合には容器を吸盤でシンク内に留めると、常時水をかぶり不衛生で、快適に使えないなどの問題点がある。【０００５】  更に、スポンジ入れの容器のスペースだけシンクが狭くなり、大きなものをシンク内で洗う時にあたったりして、使い勝手が悪い時がある。そこで、食器洗い用スポンジ入れをシンク内に取り付けずに、シンクの脇に置き、しかも使用後のスポンジから出る水分をシンクに排水するスポンジ入れを作ろうとする。
【課題を解決するための手段】
【０００６】  石鹸箱の受けの側壁面と底面の接する部分に排水用の穴を開け、その穴に排水のための管をつなぎ、管の先端はシンクに至らせる。水抜き孔を持った石鹸箱の蓋を裏返して石鹸箱の受けの上に組み合わせ、裏返した蓋の上にスポンジを置く。使用後のスポンジから出る水分を一カ所に集めるため、受けの底面に傾斜が生じるように、受けの底面の下面に高低２つの高さの足を付ける。
【考案の効果】
【０００７】  容器を吸盤でシンク内に留める必要がないので、常時水をかぶる吸盤の接着面が水分で雑菌を繁殖させたりすることもなく衛生的であり、また、シンクの深さが浅くても使える。
シンク脇に置いたスポンジ入れにはシンクに至る排水用の管があるため、使用後のスポンジに残った水分がシンクに流れ落ちるので、シンクの中にスポンジ入れのスペースを取る必要がないため、洗い物の時に広々とシンクを使える。
【考案を実施するための最良の形態】
【０００８】  石鹸箱のような形状と大きさの容器を、ポリプロピレンなどの合成樹脂を使って成形する。図２のように、受け（１）の側壁面（２）と底面（３）の接する部分に排水口（６）を開け、その外側に直径６ｍｍ程度、厚さ１ｍｍ程度で長さ１ｃｍ程度の排水用の管の突起（４）を１本作る。成形後に、その管に排水のための１０ｃｍ程度のビニルやポリプロピレンなどで作ったホース（５）を差し込んでつなぎ、ホースの先端はシンク（１３）に至らせる。【０００９】  図２のように、石鹸箱の底面（３）に傾斜を付け、受けの排水口（６）にスポンジ（７）より落ちた水分が集まるようにするため、排水用の管の突起（４）のある側の足（８）を高さ１０ｍｍ程度、排水用の管の突起（４）と反対側にある足（９）を高さ１５ｍｍ程度とし、それぞれ底面（３）の下面に２本ずつ成形する。【００１０】  ただ、それぞれの足（８）や（９）は２本ずつではなく、図３のような１本の長い足（１０）と（１４）を１本ずつ成形してもよい。
更に、低い足２本と高くて長い足１本や、低くて長い足１本と高い足２本の組み合わせもある。【００１１】  図４のように、石鹸箱の蓋（１１）には水抜き孔（１２）を開けておく。水抜き孔の数は、１〜８個程度を開ける。この蓋を裏返して、受け（１）ときっちり組み合わさるようにする。そして、この蓋を裏返した上にスポンジ（７）を置く。【００１２】  他の実施例として、石鹸箱の受けの底面（３）に傾斜を付ける方法として、受け（１）の下に付ける足の高低差で傾斜を作り出すのではなく、図５のように、受けの底面（３）の厚さを、排水口（６）付近では薄く、そして徐々に厚みを増して排水口（６）と反対側に成形していくやり方がある。この時、足は同じ高さのものを受け（１）−Ｂの下に成形する。【００１３】  他の実施例として、図５のような底面の厚みを変えることによる傾斜を持った受け（１）の底面の下面の外周を、図６のように、厚さ５ｍｍ〜１０ｍｍ程度で、同じ長さだけ１〜２ｃｍ程度伸ばし、足の役割を兼ねた受け（１）−Ｃを持った、スポンジ入れも考えられる。【００１４】  他の実施例として、図７のように、ホース（５）は使わずに、排水用の管の突起（４）を直接シンク（１３）の端にくるように、本考案を置き、排水するやり方がある。更に、図８のように、ホース（５）や排水用の管の突起（４）も無しで、排水口（６）を直接シンク（１３）の端にくるように、本考案を置き、排水するやり方もある。
【図面の簡単な説明】
【００１５】
【図１】  本考案の斜視図
【図２】  図１の線Ａ−Ａ’の断面図
【図３】  受けを下から見た斜視図
【図４】  裏返した蓋を受けに組み合わせた本考案の斜視図
【図５】  本考案の他の実施例。受けの断面図
【図６】  本考案の他の実施例。受けの断面図
【図７】  本考案の他の実施例。シンクの端に置いた受けの断面図
【図８】  本考案の他の実施例。シンクの端に置いた受けの断面図
【符号の説明】
【００１６】  １  石鹸箱の受け
２  受けの側壁面
３  受けの底面
４  排水用の管の突起
５  ホース
６  排水口
７  スポンジ
８  低い足
９  高い足
１０  １本の低くて長い足
１１  石鹸箱の蓋
１２  水抜き孔
１３  シンク
１４  １本の高くて長い足
１−Ｂ    底面が傾斜の石鹸箱の受け
１−Ｃ    底面が傾斜で厚さが厚く、その下部が足を兼ねる石鹸箱の受け
１−Ｄ    底面が傾斜で、排水用の管の突起がない石鹸箱の受け
【図１】
0003143240.tif 000003
【図２】
0003143240.tif 000004
【図３】
0003143240.tif 000005
【図４】
0003143240.tif 000006
【図５】
0003143240.tif 000007
【図６】
0003143240.tif 000008
【図７】
0003143240.tif 000009
【図８】
0003143240.tif 000010
【手続補正書】
【提出日】平成20年2月15日(2008.2.15)
【手続補正１】
【補正対象書類名】実用新案登録請求の範囲
【補正対象項目名】請求項１
【補正方法】追加
【補正の内容】
【請求項１】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるため、受けの底面に傾斜が生じるように、受けの下面に前記排水用の穴付近には低い足を、前記排水用の穴と反対側には高い足を付け、シンクの脇に置く
食器洗い用スポンジ入れ。
【手続補正２】
【補正対象書類名】実用新案登録請求の範囲
【補正対象項目名】請求項２
【補正方法】追加
【補正の内容】
【請求項２】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるために、受けの底面全体の厚みの差による傾斜を作るため、受けの底面上に存在する前記排水用の穴付近が最も厚さがうすく、そこから徐々に、前記排水用の穴のある辺に向かい合う、受けの底面の辺付近が最も厚さが厚くなるように受けの底面を隆起させ、
受けの底面の下面に同じ高さの足を複数本付け、シンクの脇に置く食器洗い用スポンジ入れ。
【手続補正３】
【補正対象書類名】実用新案登録請求の範囲
【補正対象項目名】請求項４
【補正方法】変更
【補正の内容】
【請求項４】
石鹸箱の受けの側壁面と底面の接する部分に排水用の穴を開け、その穴に排水のための管をつながず、前記排水用の穴自体をシンクの縁に置き、シンクへの排水を可能とした、請求項１または請求項２または請求項３の、食器洗い用スポンジ入れ。
【手続補正４】
【補正対象書類名】明細書
【補正対象項目名】００１４
【補正方法】変更
【補正の内容】
【００１４】  他の実施例として、図７のように、ホース（５）は使わずに、排水用の管の突起（４）を直接シンク（１３）の縁にくるように、本考案を置き、排水するやり方がある。更に、図８のように、ホース（５）や排水用の管の突起（４）も無しで、排水口（６）を直接シンク（１３）の縁にくるように、本考案を置き、排水するやり方もある。
【手続補正書】
【提出日】平成20年5月9日(2008.5.9)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるため、受けの底面に傾斜が生じるように、受けの下面に前記排水用の穴付近には低い足を、前記排水用の穴と反対側には高い足を付け、シンクの脇に置く食器洗い用スポンジ入れ。
【手続補正２】
【補正対象書類名】手続補正書
【補正対象項目名】手続補正２
【補正方法】変更
【補正の内容】
【手続補正２】
【補正対象書類名】実用新案登録請求の範囲
【補正対象項目名】請求項２
【補正方法】変更
【補正の内容】
【請求項２】
石鹸箱のような容器、以下石鹸箱と略す、の受けの側壁面と底面の接する部分に排水用の穴を開け、その穴に排水のための管をつなぎ、その管の先端はシンクに至らせ、
石鹸箱の蓋を裏返して石鹸箱の受けの上に組み合わせ、その裏返した蓋の上にスポンジを置き、
置いた使用後のスポンジから出る水分を前記排水用の穴に集めるために、受けの底面全体の厚みの差による傾斜を作るため、受けの底面上に存在する前記排水用の穴付近が最も厚さがうすく、そこから徐々に、前記排水用の穴のある辺に向かい合う、受けの底面の辺付近が最も厚さが厚くなるように受けの底面を隆起させ、
受けの底面の下面に同じ高さの足を複数本付け、シンクの脇に置く食器洗い用スポンジ入れ。